(57)【特許請求の範囲】
【請求項１】
紐体と、前記紐体と連係されたアクチュエータと、所定の情報を伝達する信号に基いて前記アクチュエータを制御するアクチュエータ制御部とを備えた報知装置において、
前記アクチュエータ制御部は、前記信号の内容を識別する信号内容識別手段と、前記アクチュエータの動作パターンを複数記憶させた動作パターンテーブルと、前記信号内容識別手段からの出力に応じて前記動作パターンテーブルに記憶させた複数の動作パターンのなかから特定の動作パターンを採用する動作パターン決定手段と、を有することを特徴とする報知装置。
【請求項２】
前記報知装置は、携帯用通信機器の呼出装置であることを特徴とする請求項１記載の報知装置。
【発明の詳細な説明】
【０００１】
【発明の属する技術分野】
本発明は、携帯電話、ＰＨＳ、ポケットベル等の携帯用通信機器の呼出装置等に用いられて、その着信情報等、所定の情報を報知する報知装置に関する。
【０００２】
【従来の技術】
従来、音意外の報知手段を用いて電話の着信を知らせる着信報知装置が知られている。特に、近年目覚ましく普及している携帯電話、ＰＨＳ、ポケットベル等の携帯用通信機器においても、場所をわきまえず発信される着信音に鑑み、音以外の報知手段を用いる着信装置が提案されている。
【０００３】
例えば、そのような携帯用通信機器の報知手段としては、バイブレータによる振動や発光素子による光、更には、特開平０２―１８６８６３号公報に開示された携帯電話機に付属されたもののように、音、振動、及び光を組み合わせたもの等が知られている。
【０００４】
【発明が解決しようとする課題】
ところで、前述したような報知装置にあっては、使用者の聴覚、触覚、視覚等に働きかけて情報を知らせるのであるが、使用者の周囲の状況によっては、そのような感知が非常に困難となる場合がある。
【０００５】
例えば報知手段が音である場合、その着信音は、周囲の騒音に掻き消されてしまうことがある。とりわけ前述したように、その着信音自体が周囲に対する騒音となる虞もある。
【０００６】
また、報知手段が振動である場合は、使用者が装置を身に付けていないと、振動はほとんど感知し得ない。
【０００７】
更に、報知手段が光である場合は、直射日光のあたる屋外等での使用は、点灯している光が大変見にくくなるため不向きである。
【０００８】
そこで本発明は、このような問題点に鑑みつつ、所定の情報を使用者に対して確実に報知することができる報知装置を提供することを目的としている。
【０００９】
【課題を解決するための手段】
本願第１請求項に記載した発明は、紐体と、前記紐体と連係されたアクチュエータと、所定の情報を伝達する信号に基いて前記アクチュエータを制御するアクチュエータ制御部とを備えた報知装置において、前記アクチュエータ制御部は、前記信号の内容を識別する信号内容識別手段と、前記アクチュエータの動作パターンを複数記憶させた動作パターンテーブルと、前記信号内容識別手段からの出力に応じて前記動作パターンテーブルに記憶させた複数の動作パターンのなかから特定の動作パターンを採用する動作パターン決定手段と、を有する構成の報知装置である。
【００１０】
このように、本発明の報知装置によると、紐体と、紐体と連係されたアクチュエータと、所定の情報を伝達する信号に基いて前記アクチュエータを制御するアクチュエータ制御部とを備えたので、所定の情報は、アクチュエータにて紐体を移動することにより、使用者に対して確実に報知される。
【００１１】
すなわち、アクチュエータがアクチュエータ制御部にて所定の情報を伝達する信号に基いて制御されることにより、アクチュエータと連係された紐体は、所定の情報に対応して移動する。
【００１２】
そして、紐体を移動することによれば、使用者は、紐体の移動を目視することによって、所定の情報を視覚的に認知することが可能となる。特に、直射日光のあたる屋外等で使用する際は、報知手段が光である場合よりも比較的容易に確認される。
【００１３】
また、本報知装置は、紐体を利用して衣服や首、鞄、壁等の外部に掛け止めるようにしてもよい。この場合、紐体が移動する際には、これらの衣服や首、鞄、壁等に対する動作が得られて、視覚的報知効果が一層向上される。
【００１４】
とりわけ、本報知装置を衣服や首に掛ける等して身に付けるのであれば、紐体の移動による触覚的報知効果が得られる。ここで更に、紐体を小刻みに移動するように構成すれば、振動が得られる。
【００２０】
また、本発明において、アクチュエータ制御部は、信号の内容を識別する信号内容識別手段と、アクチュエータの動作パターンを複数記憶させた動作パターンテーブルと、信号内容識別手段からの出力に応じて動作パターンテーブルに記憶させた複数の動作パターンのなかから特定の動作パターンを採用する動作パターン決定手段と、を有するので、信号の内容毎にアクチュエータの動作パターンが使い分けられる。従って、多種類の情報が、紐体の移動態様を異ならせることにより、それぞれ報知される。
【００２１】
本願第２請求項に記載した発明は、請求項１において、前記報知装置は、携帯用通信機器の呼出装置である構成の報知装置である。
【００２２】
携帯用通信機器の着信は、従来では音、振動、光等で使用者に報知していたところ、本発明によると、紐体を移動することによって報知される。
【００２３】
【発明の実施の形態】
以下に、本発明の具体例を図面に基いて詳細に説明する。
【００２４】
図１に示すように、本例の報知装置１は、携帯用通信機器たる携帯電話の呼出装置であって、紐体２と、紐体２と連係されたアクチュエータ３と、アクチュエータ３を制御するアクチュエータ制御部４とを備え、電話の着信情報は、前記紐体が移動することによって報知されるように構成されている。
【００２５】
当該報知装置１の外装ケース５は、携帯電話本体とは別体に形成されたもの、又は、携帯電話機能が内装されたものである。また、図中の６は、アクチュエータ３の駆動源たるバッテリである。
【００２６】
本例の紐体２は、合成樹脂を製織したワイヤであって、環状に形成されるとともに、外装ケース５内部のアクチュエータ３に設けられた回転出力部３０１に連係されている。また紐体２は、外装ケース５に設けた孔部５０１，５０１から外部に露呈されおり、この外部に露呈された部分を衣服や首、鞄、壁等の外部に掛け止めるようにしている。また、外装ケースの要所には、紐体２を規制するプーリ５０２，５０２を配設している。
【００２７】
前記アクチュエータ３は、前記回転出力部３０１を有する電動モータであり、前記バッテリ６から動力を得るとともに、その回転方向及び回転速度は、アクチュエータ制御部４によって制御されている。
【００２８】
アクチュエータ制御部４は、図２に示すように、前記携帯電話における信号受信回路から信号が入力される信号内容識別手段４０１と、アクチュエータ３の動作パターン（回転方向及び回転速度のパターン）を複数記憶させた動作パターンテーブル４０３と、信号内容識別手段４０１からの出力に応じて動作パターンテーブル４０３に記憶させた複数の動作パターンのなかから特定の動作パターンを採用する動作パターン決定手段４０２と、動作パターン決定手段４０２で決定された動作パターンに基いてアクチュエータ３を駆動するアクチュエータ駆動回路４０４と、を有する。
【００２９】
尚、前記携帯電話の信号受信回路は、呼び出し側が発信する信号を受信する回路であり、その信号内容には、呼び出し側が付加した情報や呼び出し側の電話番号等の情報が符号の状態で含まれている。また、信号受信回路から信号内容識別手段への信号入力は、電波、光、又は通信用ケーブルを用いた通信手段にて行うようにしている。
【００３０】
信号内容識別手段４０１は、信号受信回路から入力された信号の内容を識別する手段であって、具体的には、前述した符号を検出する符号検出手段と、符号内容を記憶した符号内容テーブルと、符号検出手段で検出された符号の内容を符号内容テーブルから判定する符号判定回路とで構成されている。
【００３１】
動作パターン決定手段４０２は、信号内容識別手段４０１から出力された信号の内容に応じて、動作パターンテーブル４０３に記憶させた複数の動作パターンのなかから特定の動作パターンを採用する手段である。
【００３２】
すなわち、動作パターンテーブル４０３には、回転方向及び回転速度がそれぞれ異なるアクチュエータ３の動作パターンが複数記憶されており、動作パターン決定手段４０２は、判別された信号内容と、その信号内容と対応される動作パターンとを１対１に対応させて用いるようにしている。
【００３３】
そして、アクチュエータ３の動作パターンが決定されると、アクチュエータ駆動回路４０４によってアクチュエータ３が駆動されて、紐体２は、外装ケース５の孔部５０１，５０１において出没して移動する。
【００３４】
このような本例の構成によると、携帯電話の着信情報は、紐体２が移動することによって報知される。すなわち、使用者にとって紐体２の移動は、報知装置１が衣服や首、鞄、壁等に対して移動することにより、視覚的に感知される。また、紐体２を衣服や首にかけて報知装置１を身に付けた場合、触覚的にも感知することができる。ここで更に、紐体２を小刻みに移動するようにすると、振動が得られる。
【００３５】
尚、本例の紐体２の移動による報知手段は、音や光等、その他の報知手段と組み合わせて用いるようにしてもよい。
【００３６】
また本例のように、信号の内容毎にアクチュエータ３の動作パターンを使い分けることによれば、呼び出し側が付加した情報や呼び出し側の電話番号等、多種類の情報が、紐体の移動態様を異ならせることにより、着信情報と同時にそれぞれ報知される。
【００３７】
以上説明したように、本例の報知装置によると、紐体と、紐体と連係されたアクチュエータと、所定の情報を伝達する信号に基いて前記アクチュエータを制御するアクチュエータ制御部とを備えたので、所定の情報は、アクチュエータにて紐体を移動することにより、使用者に対して確実に報知することができる。
【００３８】
すなわち、アクチュエータがアクチュエータ制御部にて所定の情報を伝達する信号に基いて制御されることにより、アクチュエータと連係された紐体は、所定の情報に対応して移動することができる。
【００３９】
そして、紐体を移動することによれば、使用者は、紐体の移動を目視することによって、所定の情報を視覚的に認知することができる。特に、直射日光のあたる屋外等で使用する際は、報知手段が光である場合よりも比較的容易に確認することができる。
【００４０】
また、本報知装置は、紐体を利用して衣服や首、鞄、壁等の外部に掛け止めるようにしてもよい。この場合、紐体が移動する際には、これらの衣服や首、鞄、壁等に対する動作が得られて、視覚的報知効果を一層向上することができる。
【００４１】
とりわけ、本報知装置を衣服や首に掛ける等して身に付けるのであれば、紐体の移動による触覚的報知効果を得ることができる。ここで更に、紐体を小刻みに移動するように構成すれば、振動を得ることもできる。
【００４２】
更に、本例の報知装置によると、報知装置の外装ケースには、紐体を挿通する孔部を設けたので、紐体は、孔部から外装ケースの外部に露呈されて、孔部に対して出没するように移動することができる。
【００４３】
更に、本例の報知装置によると、アクチュエータ制御部は、信号の内容を識別する信号内容識別手段と、アクチュエータの動作パターンを複数記憶させた動作パターンテーブルと、信号内容識別手段からの出力に応じて動作パターンテーブルに記憶させた複数の動作パターンのなかから特定の動作パターンを採用する動作パターン決定手段と、を有するので、信号の内容毎にアクチュエータの動作パターンを使い分けることができる。従って、多種類の情報を、紐体の移動態様を異ならせることにより、それぞれ報知することができる。
【００４４】
また更に、携帯用通信機器の着信は、従来では音、振動、光等で使用者に報知していたところ、本例によると、紐体を移動することによって報知することができる。
【００４５】
次に、本発明の第２の具体例を図３に基いて説明する。
【００４６】
図３に示すように、本例の報知装置１は、それぞれ紐体２を巻き取る巻取部３０２，３０２を備えた一対のアクチュエータ３，３を用いたものであり、紐体２は、両端部をそれぞ前記巻取部３０２，３０２に支持して設けられている。尚、その他の構成については、前述した具体例と同様であるので、共通する箇処には同一の符号を付してその説明を省略する。
【００４７】
本例の紐体２は、アクチュエータ３，３によって回転される巻取部３０２，３０２にて各端部をそれぞれ巻き取る、又は巻き取った各端部をそれぞれ開放することにより移動される。
【００４８】
すなわち、このような報知装置１は、紐体２を利用して衣服や首、鞄、壁等の外部に掛け止めて、紐体２の端部の巻き取り／開放を順次行うことで、これらの衣服や首、鞄、壁等に対し、上下方向に揺らすことができる。
【００４９】
このように、アクチュエータで紐体を巻き取るように構成してもよい。
【００５０】
更に、本発明の第３の具体例を図４に基いて説明する。
【００５１】
本例の報知装置１は、回転して移動するカム体３０３を備えたアクチュエータ３を用いたものであり、紐体２の基端は、前記カム体３０３の回転によって揺動される揺動部３０４に支持されるとともに、紐体２の他端には、外部装着用の係止具７が設けられている。尚、その他の構成については、前述した具体例と同様であるので、その説明を省略する。
【００５２】
すなわち、前記カム体３０３は、凸部を有するおよそ円状の部材であって、揺動部３０４に対して前記突部を離合することにより、揺動部３０４を揺動するものである。
【００５３】
前記揺動部３０４は、外装ケース５に枢支されるとともに、外装ケース５との間に設けられたコイルばね３０５によって、カム体３０３側へ付勢されている。
【００５４】
そして紐体２は、揺動部３０４が揺動するのに伴い、外装ケース５に対し往復移動される。
【００５５】
また、本例の係止具７は、鞄等の外部部材に対して着脱可能に駐止される金具であって、本報知装置１は、この係止具７を任意の部位に駐止することによって掛け止められる。
【００５６】
本例の報知装置によると、紐体には、外部装着用の係止具を設けたので、本報知装置は、係止具を装置外部に係止することによって、容易に掛け止めることができる。
【００５７】
また、アクチュエータとしては、カム体や、揺動部、コイルばね等を利用したものであってもよい。
【００５８】
このようなアクチュエータによれば、紐体を急激に引くことができ、使用者としては、紐体の移動を容易に認識することができる。
【００５９】
更に、本発明の第４の具体例を図５に基いて説明する。
【００６０】
本例の報知装置１は、ベルト３０４によってカム体３０７を回転するアクチュエータ３を用いたものである。紐体２は、前記カム体３０７が回転するとともに往復移動される往復部３０８に端部を固定して設けられており、カム体３０７がベルトによって回転されるのに伴って、その端部が往復部３０８とともに移動される。また、外装ケース５と往復部３０８との間には、前記往復部３０８をカム体３０６側へ付勢するコイルばね３０９を設けている。更に、外装ケース５の孔部５０１は、前記往復部３０８を移動可能に支持する円筒状に形成されたものであり、前記コイルばね３０９は、この円筒状の孔部５０１の周囲に沿って配置されている。尚、その他の構成については、前述した具体例と同様であるので、その説明及び図示を省略する。
【００６１】
このように、アクチュエータとしては、ベルトや、カム体、往復部材、コイルばね等を利用したものであってもよい。
【００６２】
このようなアクチュエータによれば、紐体を急激に引くことができ、使用者としては、紐体の移動を容易に認識することができる。
【００６３】
また、往復部材は、円筒状に形成した外装ケースの孔部にコイルばねを装着し、このコイルばねによってカム体側へ付勢するようにしてもよい。このような構成によれば、それらの各部品を容易且つ正確に組み付けることができる。
【００６４】
更に、本発明の第５の具体例を図６に基いて説明する。
【００６５】
本例の報知装置は、外装ケース５の要所にアクチュエータ３にて動かされる複数の可動部８，８を有するものであって、紐体２は、各端部を前記可動部８，８の先端にそれぞれ支持して設けている。尚、その他の構成については、前述した具体例と同様であるので、その説明及び図示を省略する。
【００６６】
本例のアクチュエータ３は、前記可動部８，８と連結された連結部３１１を回転するものである。連結部３１１の回転速度は、複数の歯車からなる減速器３１０によって適宜設定されている。
【００６７】
可動部８，８は、外装ケース５に支持された軸受部８０１を中心に下方向に回転可能に軸受されるとともに、連結部３１１に対しては、それらの各端部を連結部３１１に形成された溝状のガイド部３１１ａに係止することによって連結されている。尚、各可動部８，８の一部分は、弾性変形可能な緩衝用のスプリングで形成されている。
【００６８】
このような構成によると、可動部８，８は、連結部３１１が回転するのに伴い、各基端が連結部３１１のガイド部３１１ａによって上下方向にもたらされて、軸受部８０１を中心に揺動する。また紐体２は、可動部８，８の揺動に連れて移動される。
【００６９】
本例のように、アクチュエータにて動かされる可動部を設け、この可動部に紐体を支持するように構成してもよい。このような可動部によれば、報知装置の装飾性を向上することができる。
【００７０】
更に、本発明の第６の具体例を図７に基いて説明する。尚、前述した具体例と同様の構成については、その説明を省略する。
【００７１】
本例の報知装置１は、アクチュエータ３の回転板３１５に一方の端部を支持された紐体２が、回転板３１５が回転することによって移動されるように構成したものである。尚、紐体２の他方の端部は、留め具２０１にて該紐体２の中央部に移動可能に支持している。
【００７２】
更に、外装ケース５の両脇には、それぞれ可動部８，８が設けられている。一方の可動部８は、その基端を外装ケース５に支持されるとともに、他端を紐体２に支持されており、紐体２が移動するとともに弾性変形可能なスプリングの部分において折り曲げられて、屈伸動作をするように設けられている。また、他方の可動部８は、アクチュエータ３によって直接操作されて、外装ケース５に対して揺動するように設けられている。
【００７３】
本例のアクチュエータ３は、回転駆動される駆動歯車３１２と、前記駆動歯車３１２と噛合された従動歯車３１３と、外装ケース５に枢支されるとともに前記従動歯車３１３と同行回転する回転軸３１４と、前記回転軸３１４の先端に設けられた回転板３１５とを備え、紐体２の端部は、回転板３１５の要所に設けた支持部３１６に支持されている。
【００７４】
従って、駆動歯車３１２が回転駆動することによれば、回転板３１５が従動歯車３１３及び回転軸３１４とともに回転して、紐体２が一方の可動部８の屈伸動作を伴いつつ移動される。
【００７５】
また、前記回転軸３１４には、ワンウェイクラッチ３１７を介してカム体３１８を支持している。このワンウェイクラッチ３１７は、回転軸３１４が正逆方向のいずれか一方に回転した場合にカム体３１８を回転する部材である。そして、他方の可動部８は、外装ケース５に回転移動可能に支持された支軸３２０と一体に形成されており、前記カム体３１８の回転によって往復移動されるフォロワー３１９にて前記支軸３２０が操作されることにより、外装ケース５に対して揺動される。尚、図示は省略したが、外装ケース５とフォロワー３１９との間には、フォロワー３１９をカム体３１８側へ付勢するコイルばねを設けている。
【００７６】
すなわち、回転軸３１４が回転される際、紐体２はその回転方向に拘らず移動されるのに対し、他方の可動部８は、回転軸３１４を所定の方向に回転した場合にのみ揺動される。
【００７７】
尚、回転軸３１４の回転方向は、駆動歯車３１２及び従動歯車３１３の回転方向に対応するものであり、これらの回転方向の制御は、アクチュエータ制御部４にて行われる。
【００７８】
このように、アクチュエータにて紐体と可動部とをそれぞれ動かすように構成してもよい。
【００７９】
特に本例のように、アクチュエータの動作パターンにより、紐体及び可動部の双方を動かす場合と、それらのいずれか一方を動かす場合とを使い分けるように構成してもよい。
【００８０】
このような構成によれば、紐体と可動部との動きの組み合わせにより、着信情報を使用者に対してより確実に報知することができる。例えば、着信と同時に紐体が動きだし、その状態である程度の時間が経過すると更に可動部が動きだすように構成することもできる。
【００８１】
【発明の効果】
本願第１請求項に記載した発明は、紐体と、前記紐体と連係されたアクチュエータと、所定の情報を伝達する信号に基いて前記アクチュエータを制御するアクチュエータ制御部とを備えた報知装置において、前記アクチュエータ制御部は、前記信号の内容を識別する信号内容識別手段と、前記アクチュエータの動作パターンを複数記憶させた動作パターンテーブルと、前記信号内容識別手段からの出力に応じて前記動作パターンテーブルに記憶させた複数の動作パターンのなかから特定の動作パターンを採用する動作パターン決定手段と、を有する構成の報知装置である。
【００８２】
このように、本発明の報知装置によると、紐体と、紐体と連係されたアクチュエータと、所定の情報を伝達する信号に基いて前記アクチュエータを制御するアクチュエータ制御部とを備えたので、所定の情報は、アクチュエータにて紐体を移動することにより、使用者に対して確実に報知することができる。
【００８３】
すなわち、アクチュエータがアクチュエータ制御部にて所定の情報を伝達する信号に基いて制御されることにより、アクチュエータと連係された紐体は、所定の情報に対応して移動することができる。
【００８４】
そして、紐体を移動することによれば、使用者は、紐体の移動を目視することによって、所定の情報を視覚的に認知することができる。特に、直射日光のあたる屋外等で使用する際は、報知手段が光である場合よりも比較的容易に確認することができる。
【００８５】
また、本報知装置は、紐体を利用して衣服や首、鞄、壁等の外部に掛け止めるようにしてもよい。この場合、紐体が移動する際には、これらの衣服や首、鞄、壁等に対する動作が得られて、視覚的報知効果を一層向上することができる。
【００８６】
とりわけ、本報知装置を衣服や首に掛ける等して身に付けるのであれば、紐体の移動による触覚的報知効果を得ることができる。ここで更に、紐体を小刻みに移動するように構成すれば、振動を得ることもできる。
【００９２】
また、本発明において、アクチュエータ制御部は、信号の内容を識別する信号内容識別手段と、アクチュエータの動作パターンを複数記憶させた動作パターンテーブルと、信号内容識別手段からの出力に応じて動作パターンテーブルに記憶させた複数の動作パターンのなかから特定の動作パターンを採用する動作パターン決定手段と、を有するので、信号の内容毎にアクチュエータの動作パターンを使い分けることができる。従って、多種類の情報を、紐体の移動態様を異ならせることにより、それぞれ報知することができる。
【００９３】
本願第２請求項に記載した発明は、請求項１において、前記報知装置は、携帯用通信機器の呼出装置である構成の報知装置である。
【００９４】
携帯用通信機器の着信は、従来では音、振動、光等で使用者に報知していたところ、本発明によると、紐体を移動することによって報知することができる。
【図面の簡単な説明】
【図１】  本発明の具体例に係り、報知装置を示す正面図である。
【図２】  本発明の具体例に係り、アクチュエータ制御部を示す回路説明図である。
【図３】  本発明の具体例に係り、報知装置を示す正面図である。
【図４】  本発明の具体例に係り、報知装置を示す正面図である。
【図５】  本発明の具体例に係り、報知装置を示す正面図である。
【図６】  本発明の具体例に係り、報知装置を示す正面図である。
【図７】  本発明の具体例に係り、報知装置を示す正面図である。
【符号の説明】
１      携帯電話の報知装置
２      紐体
３      アクチュエータ
４      アクチュエータ制御部
５      外装ケース
６      バッテリ
７      係止具
８      可動部
２０１      留め具
３０１      回転出力部
３０２      巻取部
３０３      カム体
３０４      揺動部
３０５      コイルばね
３０６      ベルト
３０７      カム体
３０８      往復部
３０９      コイルばね
３１０      減速器
３１１      連結部
３１１ａ      ガイド部
３１２      駆動歯車
３１３      従動歯車
３１４      回転軸
３１５      回転板
３１６      支持部
３１７      ワンウェイクラッチ
３１８      カム体
３１９      フォロワー
３２０      支軸
４０１      信号内容識別手段
４０２      動作パターン決定手段
４０３      動作パターンテーブル
４０４      アクチュエータ駆動回路
５０１      孔部
５０２      プーリ
８０１      軸受部
【図１】
0003646530.tif 000002
【図２】
0003646530.tif 000003
【図３】
0003646530.tif 000004
【図４】
0003646530.tif 000005
【図５】
0003646530.tif 000006
【図６】
0003646530.tif 000007
【図７】
0003646530.tif 000008